(57)【特許請求の範囲】
【請求項１】
変復調装置からベースバンド信号の伝送を受けて動作する張り出し無線装置であって、
前記ベースバンド信号を基にしてパラレル信号およびクロック信号を生成するインタフェース部と、
前記インタフェース部が生成する前記クロック信号と比較するための規定値の信号を出力する制御部と、
前記インタフェース部が生成する前記クロック信号と、前記制御部が出力する規定値の信号とが一致するか否かを検出し、前記両信号が一致した際に一致信号を出力するクロック回路と、
前記インタフェース部が生成する前記クロック信号と、前記制御部が出力する規定値の信号との一致を検出した際に、前記クロック回路が出力する一致信号を基準として、前記インタフェース部が出力する前記パラレル信号のフォーマットを変換するフォーマット変換部と、
前記フォーマット変換部がフォーマット変換を行う際に必要なソフトウェアを記憶する記憶部とを有すると共に、
前記クロック回路が、前記制御部が出力する規定値の信号を受けて動作するＰＬＬ及び発振器を有し、且つ前記ＰＬＬがロック状態のときに前記一致信号を出力し、前記ＰＬＬがアンロック状態のときに不一致信号を出力する機能を有し、
前記制御部が、前記クロック回路が前記一致信号を出力した際に、その一致信号の基となった規定値の信号に対応する前記ソフトウェアを読み出す指令を前記記憶部に出力し、前記クロック回路が前記不一致信号を出力した際に、前記一致信号が出力されるまで前記規定値の信号を予め与えられた異なる規定値の信号に切り替えて前記クロック回路に出力する動作を繰り返す機能を有し、
前記フォーマット変換部が、前記クロック回路が出力する前記一致信号をトリガーとして、前記記憶部が読み出したソフトウェアをフォーマット変換のためにダウンロードして起動し、当該ソフトウェアを実行する機能を有する
ことを特徴とする張り出し無線装置。
【請求項２】
前記インタフェース部に入力する信号は、未知の伝送速度をもつ信号であり、
前記クロック回路が出力する一致信号と前記インタフェース部が出力する前記パラレル信号との同期をとり、その同期が確立した際に、変復調装置が出力するフォーマット変換用のソフトウェアを取得して、そのソフトウェアを前記記憶部に記憶させる同期検出部と、
電源投入時に前記フォーマット変換部が初期動作をするのに必要な初期動作用のソフトウェアを記憶する記憶部とを有し、
前記記憶部は、電源投入後に前記同期検出部からのソフトウェアを記憶するものであり、
前記フォーマット変換部は、前記クロック回路が出力する前記一致信号をトリガーとして、前記記憶部が読み出した前記フォーマット変換用のソフトウェアをダウンロードするものである請求項１に記載の張り出し無線装置。
【請求項３】
前記変復調装置から前記インタフェース部に至る信号伝送系を２以上有し、
前記２以上の信号伝送系に含まれる前記インタフェース部が生成する前記クロック信号を選択して、その選択したクロック信号を前記クロック回路に出力するスイッチを有し、
前記制御部は、前記スイッチに前記クロック信号の選択指令を出力するものである請求項１に記載の張り出し無線装置。
【請求項４】
前記２以上の信号伝送系は、前記インタフェース部が生成する前記クロック信号と、前記制御部が出力する規定値の信号との一致を検出した際に、前記クロック回路が出力する一致信号を基準として、前記インタフェース部が出力する前記パラレル信号のフォーマットを変換する一のフォーマット変換部を共有化した請求項３に記載の張り出し無線装置。
【請求項５】
変復調装置からベースバンド信号の伝送を受けて張り出し無線装置が動作する信号伝送系における信号の伝送速度を判別する信号伝送速度の判別方法であって、
前記ベースバンド信号を基にしてパラレル信号およびクロック信号を生成し、
前記クロック信号と比較するための規定値の信号を出力し、
前記規定値の信号に基づいてクロック回路のＰＬＬ及び発振器を動作させ、
前記ＰＬＬがアンロック状態のときに不一致信号、前記ＰＬＬがロック状態のときに一致信号を出力し、
前記不一致信号をトリガーとして、前記規定値の信号を予め与えられた異なる規定値の信号に切り替えて前記クロック回路に出力する動作を前記一致信号が出力されるまで繰り返し、
前記一致信号をトリガーとして変復調装置が出力するフォーマット変換用のソフトウェアをダウンロードして当該ソフトウェアを実行し、
前記一致信号を基準として、前記ソフトウェアによって前記パラレル信号のフォーマットを変換することを特徴とする信号伝送速度の判別方法。
【請求項６】
前記ベースバンド信号は、未知の伝送速度をもつ信号であり、
電源投入時に初期動作用のソフトウェアで前記フォーマット変換の初期動作を実行し、
前記一致信号と前記パラレル信号との同期をとり、その同期を検出した際に、変復調装置が出力するフォーマット変換用のソフトウェアを取得して、そのソフトウェアで前記フォーマット変換を実行する請求項５に記載の信号伝送速度の判別方法。
【請求項７】
前記変復調装置から前記インタフェース部に至る信号伝送系を２以上有し、
前記２以上の信号伝送系のいずれかで生成する前記クロック信号を選択し、その選択したクロック信号と前記規定値の信号との一致を検出する請求項５に記載の信号伝送速度の判別方法。
【請求項８】
前記２以上の信号伝送系に対して、一つのフォーマット変換を共有化して実行する請求項７に記載の信号伝送速度の判別方法。
【請求項９】
変復調装置からベースバンド信号の伝送を受けて張り出し無線装置が動作する信号伝送系における信号の伝送速度を判別する伝送速度の判別プログラムであって、
コンピュータに、
前記ベースバンド信号を基にしてパラレル信号およびクロック信号を生成する機能と、
前記クロック信号と比較するための規定値の信号を出力する機能と、
前記規定値の信号に基づいてクロック回路のＰＬＬ及び発振器を動作させる機能と、
前記ＰＬＬがアンロック状態のときに不一致信号、前記ＰＬＬがロック状態のときに一致信号を出力する機能と、
前記不一致信号をトリガーとして、前記規定値の信号を予め与えられた異なる規定値の信号に切り替えて前記クロック回路に出力する動作を前記一致信号が出力されるまで繰り返す機能と、
前記一致信号をトリガーとして変復調装置が出力するフォーマット変換用のソフトウェアをダウンロードして当該ソフトウェアを実行する機能と、
前記一致信号を基準として、前記ソフトウェアによって前記パラレル信号のフォーマットを変換する機能と
を実行させることを特徴とする伝送速度の判別プログラム。
【発明の詳細な説明】
【技術分野】
【０００１】
本発明は変復調装置と張り出し無線装置との間を光ファイバなどの回線で接続した構造の移動通信用無線基地局装置に関し、特に張り出し無線装置の側での伝送速度の判別に関する。
【背景技術】
【０００２】
移動通信用無線基地局装置で、親機にあたる変復調装置と、子機にあたる張り出し無線装置との間を光ファイバなどの回線で接続した構造のものがある。この形式の装置で、変復調装置（ＲＥＣ：Radio  Equipment  Control）と張り出し無線装置（ＲＥ：Radio  Equipment）を接続する光または電気信号のインタフェースとして、ＣＰＲＩ（Common  Public  Radio  Interface）と呼ばれる標準仕様がある。
【０００３】
ＣＰＲＩ（Specification v3.0）では、伝送速度として、６１４．４Ｍｂｐｓ、１２２８．８Ｍｂｐｓ、２４５７．６Ｍｂｐｓ、３０７２．０Ｍｂｐｓの４種類の伝送速度が用意されている。これは、移動通信用無線基地局装置を運用するオペレータがどの伝送速度に対応したＣＰＲＩ規格を使用するかを決定し、移動通信用無線基地局装置を製造するベンダはその要求にあったものをオペレータに提供するためである。そのため、張り出し無線装置の側で、親機から送信されるベースバンド信号の伝送速度を、規格上で用意された速度の中から判別することが可能である必要がある。
【０００４】
光伝送システム、特に伝送速度の自動判別について、次のような先行技術文献がある。特許文献１には、光送信器の出力信号に伝送速度情報を重畳し、光受信器側でその制御監視信号をローパスフィルタで抽出して伝送速度を判別するという技術が記載されている。特許文献２には、送信信号内のフレーミングバイトから固有のデータビットパターンを検出して伝送速度の判別を行うという技術が記載されている。
【０００５】
特許文献３には、ロック／アンロックの各状態を検出し、アンロック状態の場合に伝送速度の設定値を変更するプログラマブルロジックデバイス用のＣＤＲ（Clock  and  Data  Recovery）回路が記載されている。特許文献４には、ロック状態で伝送速度に対応するソフトウェアをダウンロードするデータ伝送用のシリアルインターフェイスが記載されている。
【０００６】
特許文献５には、複数の電圧制御発振器を持ち、切替器で電圧制御発振器を次々と切り替えて周波数を変化させるという技術が記載されている。特許文献６には、アンロック状態を検出した場合に切替器で電圧制御発振器を切り替えるという技術が記載されている。
【先行技術文献】
【特許文献】
【０００７】
【特許文献１】特開２００３−２４４０７５号公報
【特許文献２】特開２００２−２０４２２６号公報
【特許文献３】特表２００３−５２７０３４号公報
【特許文献４】特開２００６−３０２２７７号公報
【特許文献５】特開昭６２−２０３４２３号公報
【特許文献６】特開平０４−３３０６７５号公報
【発明の概要】
【発明が解決しようとする課題】
【０００８】
特許文献１の技術では、伝送速度を情報として信号に重畳させる必要があるため、光信号のフォーマットが独自のものとなり、既に標準化されている仕様のもとで利用することはできない。また伝送速度情報をローパスフィルタにより抽出するので、ＬＰＦをローパスフィルタする周波数成分しか使用できず、制御監視信号の周波数成分を決定する上で制約となる。特許文献２の技術では、フレーミングバイトから固有のデータビットパターンを検出するには、送られてくる信号のフォーマットが既知でなければならない。
【０００９】
また、特許文献３には、「ロック／アンロックを検出する」及び「アンロックの場合に伝送速度の設定値を変更する」という技術が示されているが、これはＣＤＲ回路の一例を示しているに過ぎない。同様に特許文献４も、伝送速度に対応するソフトウェアをダウンロードする方法の一例を示しているに過ぎない。特許文献３〜４、さらに特許文献５〜６のいずれも、張り出し無線装置とは用途も目的も異なる。
【００１０】
つまり、特許文献１〜２の技術にさらに特許文献３〜６の技術を組み合わせても、世界標準の仕様を変更せずに、張り出し無線装置で伝送速度を自動で判別してそれに対応したフォーマットで信号を処理するということは、可能とならない。
【００１１】
本発明の目的は、世界標準の仕様を変更することなく、伝送速度を自動で判別して、伝送速度に対応したフォーマットで信号を処理することのできる張り出し無線装置、信号伝送速度の判別方法及び判別プログラムを提供することにある。
【課題を解決するための手段】
【００１２】
前記目的を達成するため、本発明に係る張り出し無線装置は、変復調装置からベースバンド信号の伝送を受けて動作する張り出し無線装置であって、前記ベースバンド信号を基にしてパラレル信号およびクロック信号を生成するインタフェース部と、前記インタフェース部が生成する前記クロック信号と比較するための規定値の信号を出力する制御部と、前記インタフェース部が生成する前記クロック信号と、前記制御部が出力する規定値の信号とが一致するか否かを検出し、前記両信号が一致した際に一致信号を出力するクロック回路と、前記インタフェース部が生成する前記クロック信号と、前記制御部が出力する規定値の信号との一致を検出した際に、前記クロック回路が出力する一致信号を基準として、前記インタフェース部が出力する前記パラレル信号のフォーマットを変換するフォーマット変換部と、前記フォーマット変換部がフォーマット変換を行う際に必要なソフトウェアを記憶する記憶部とを有すると共に、前記クロック回路が、前記制御部が出力する規定値の信号を受けて動作するＰＬＬ及び発振器を有し、且つ前記ＰＬＬがロック状態のときに前記一致信号を出力し、前記ＰＬＬがアンロック状態のときに不一致信号を出力する機能を有し、前記制御部が、前記クロック回路が前記一致信号を出力した際に、その一致信号の基となった規定値の信号に対応する前記ソフトウェアを読み出す指令を前記記憶部に出力し、前記クロック回路が前記不一致信号を出力した際に、前記一致信号が出力されるまで前記規定値の信号を予め与えられた異なる規定値の信号に切り替えて前記クロック回路に出力する動作を繰り返す機能を有し、前記フォーマット変換部が、前記クロック回路が出力する前記一致信号をトリガーとして、前記記憶部が読み出したソフトウェアをフォーマット変換のためにダウンロードして起動し、当該ソフトウェアを実行する機能を有することを特徴とする。
【００１３】
上述した説明では、本発明を張り出し無線装置として構築したが、このハードウェアとして構築する場合に限られるものではない。本発明を信号伝送速度の判別方法、ソフトウェアとしての判別プログラムとして構築してもよいものである。
【００１４】
本発明を方法として構築した場合、本発明に係る信号伝送速度の判別方法は、変復調装置からベースバンド信号の伝送を受けて張り出し無線装置が動作する信号伝送系における信号の伝送速度を判別する信号伝送速度の判別方法であって、
前記ベースバンド信号を基にしてパラレル信号およびクロック信号を生成し、前記クロック信号と比較するための規定値の信号を出力し、前記規定値の信号に基づいてクロック回路のＰＬＬ及び発振器を動作させ、前記ＰＬＬがアンロック状態のときに不一致信号、前記ＰＬＬがロック状態のときに一致信号を出力し、前記不一致信号をトリガーとして、前記規定値の信号を予め与えられた異なる規定値の信号に切り替えて前記クロック回路に出力する動作を前記一致信号が出力されるまで繰り返し、前記一致信号をトリガーとして変復調装置が出力するフォーマット変換用のソフトウェアをダウンロードして当該ソフトウェアを実行し、前記一致信号を基準として、前記ソフトウェアによって前記パラレル信号のフォーマットを変換することを特徴とする。
【００１５】
本発明をソフトウェアとしてのプログラムとして構築した場合、本発明に係る信号伝送速度の判別プログラムは、変復調装置からベースバンド信号の伝送を受けて張り出し無線装置が動作する信号伝送系における信号の伝送速度を判別する伝送速度の判別プログラムであって、
コンピュータに、前記ベースバンド信号を基にしてパラレル信号およびクロック信号を生成する機能と、前記クロック信号と比較するための規定値の信号を出力する機能と、前記規定値の信号に基づいてクロック回路のＰＬＬ及び発振器を動作させる機能と、前記ＰＬＬがアンロック状態のときに不一致信号、前記ＰＬＬがロック状態のときに一致信号を出力する機能と、前記不一致信号をトリガーとして、前記規定値の信号を予め与えられた異なる規定値の信号に切り替えて前記クロック回路に出力する動作を前記一致信号が出力されるまで繰り返す機能と、前記一致信号をトリガーとして変復調装置が出力するフォーマット変換用のソフトウェアをダウンロードして当該ソフトウェアを実行する機能と、前記一致信号を基準として、前記ソフトウェアによって前記パラレル信号のフォーマットを変換する機能とを実行させることを特徴とする。
【発明の効果】
【００１６】
本発明によれば、信号伝送系に伝送される信号に基づいて生成したクロック信号と規定値の信号とを比較し、その比較結果に基づいて信号伝送系に伝送される信号の伝送速度を、世界標準の仕様を変更することなく、自動で判別することができる。
【図面の簡単な説明】
【００１７】
【図１】本発明の第１の実施形態に係る移動通信用無線基地局装置の構成を示すブロック図である。
【図２】図１に示した送受信制御部のより詳細な構成を示すブロック図である。
【図３】図２に示したインタフェース部のより詳細な構成を示すブロック図である。
【図４】図２に示したクロック回路のより詳細な構成を示すブロック図である。
【図５】図２〜４に示す張り出し無線装置の起動時の動作を示すフローチャートである。
【図６】図２〜４に示す張り出し無線装置が２４５７．６Ｍｂｐｓの伝送速度に対応して動作しているときに、１２２８．８ＭｂｐｓのＣＰＲＩに切り替えられた場合の動作を示すフローチャートである。
【図７】本発明の第２の実施形態に係る移動通信用無線基地局装置の張り出し無線装置の構成を示すブロック図である。
【図８】図７に示す張り出し無線装置の起動時の動作を示すフローチャートである。
【図９】本発明の第３の実施形態に係る移動通信用無線基地局装置の張り出し無線装置の構成を示すブロック図である。
【発明を実施するための形態】
【００１８】
以下、本発明の実施形態を図に基づいて詳細に説明する。
［第１の実施形態］
図１は、本発明の第１の実施形態に係る移動通信用無線基地局装置１の構成を示すブロック図である。図１に示す変復調装置１０は移動通信用無線基地局装置１の親機であり、図１に示す張り出し無線装置２０は子機である。図１において、移動通信用無線基地局装置１の送受信機部分を独立させたものが張り出し無線装置２０である。光ファイバ１１は変復調装置１０と張り出し無線装置２０の間でデジタルのベースバンド信号を伝送する。
【００１９】
張り出し無線装置２０は、送受信制御部２１、受信機２２、送信機２３、フィルタ２４、およびアンテナ２５を有している。送受信制御部２１は変復調装置１０とのインタフェース機能をもち、ベースバンド処理を行うことで受信機２２および送信機２３とのインタフェースも行う。
【００２０】
受信機２２は低雑音増幅器、周波数変換器、妨害波抑圧フィルタなどを有して、フィルタ２４からの受信信号をデジタル信号に変換して送受信制御部２１に出力する。送信機２３は送受信制御部２１からのデジタル信号をアナログ変換、周波数変換、不要波の抑圧を行い、規定の出力電力に増幅してフィルタ２４へ出力する。
【００２１】
フィルタ２４はアンテナ２５に接続されており、アンテナ２５からの受信信号に対する妨害波の抑圧と、送信機２３からの出力信号における不要波の抑圧を行う。アンテナ２５は受信信号を受信し、送信信号を送信する。
【００２２】
図２は、図１に示した送受信制御部２１のより詳細な構成を示すブロック図である。送受信制御部２１は、電気／光変換部３１、インタフェース部３２、フォーマット変換部３３、ベースバンド処理部３４、クロック回路３５、制御部３６、スイッチ３７、メモリ３８ａおよび３８ｂを有している。
【００２３】
電気／光変換部３１は光信号である信号Ａをシリアルの電気信号である信号Ｂに変換する。インタフェース部３２は電気／光変換部３１から入力された信号Ｂをパラレルの電気信号である信号Ｋに変換し、また信号Ｂからクロック信号である信号Ｃを生成する。フォーマット変換部３３は後述のクロック回路３５で生成した信号Ｄをトリガーとし、インタフェース部３２から出力された信号Ｋのフォーマットに対応して、信号の同期やベースバンド処理部３４へ出力するデータ部分の抜き取りを行い、信号Ｌとして出力する。
【００２４】
ベースバンド処理部３４はフォーマット変換部３３で生成された信号Ｌのベースバンド処理を行う。クロック回路３５は発振器とＰＬＬで構成され、前記クロック回路３５の前記ＰＬＬと前記発振器とは、制御部３６からの信号Ｅで動作する。クロック回路３５は、信号Ｃを基準信号として、インタフェース部３２からの信号Ｃと制御部３６からの信号Ｅとを比較し、それらの信号が一致しているときに一致信号として信号Ｄを出力し、それらの信号が不一致のときに不一致信号を出力する。また、クロック回路３５は、信号Ｃと信号Ｅとが一致する場合、及び信号Ｃと信号Ｅとが不一致の場合を示す信号Ｆを制御部３６に出力する。制御部３６は、クロック回路３５からの信号Ｆを受け取って、信号ＣとＤが不一致する場合をトリガーとして、規定値の異なる信号Ｅをクロック回路３５に出力する。さらに詳細に説明すると、クロック回路３５は、前記信号Ｃと前記信号Ｅとが一致するとき、すなわち前記ＰＬＬがロックしている状態のときに信号Ｄを出力し、前記信号Ｃと前記信号Ｅとが不一致のとき、すなわち前記ＰＬＬがアンロックしている状態のときに不一致信号を出力する。また、クロック回路３５は、前記ＰＬＬがロック状態と前記ＰＬＬがアンロック状態とを示す信号Ｆを制御部３６に出力する。
【００２５】
制御部３６は、クロック回路３５からの信号Ｆに基づいてクロック回路３５の動作周波数を設定するための信号Ｅをクロック回路３５に出力し、スイッチ３７の制御を行うための信号Ｇを出力する。スイッチ３７は、制御部３６からの信号Ｇに基づいて、メモリ３８ａおよび３８ｂとの経路（信号Ｈおよび信号Ｉ）を切り替え、メモリ３８ａ又は３８ｂから出力される信号Ｈ又はＩを信号Ｊとしてフォーマット変換部３３に出力する。具体的には、メモリ３８ａおよび３８ｂはフォーマット変換部３３を動作させるための２種類の伝送速度に対応したソフトウェアをそれぞれ格納し、メモリ３８ａおよび３８ｂは、スイッチ３７経由で制御部３６が指示したソフトウェアを信号ＨまたはＩとして出力し、スイッチ３７は、メモリ３８ａ又は３８ｂから出力される信号（ソフトウェア）ＨまたはＩをフォーマット変換部３３に信号Ｊとして送出する。
【００２６】
図３は、図２に示したインタフェース部３２のより詳細な構成を示すブロック図である。インタフェース部３２は、シリアル変換部４１、パラレル変換部４３、ＣＤＲ部４５、バッファ部４２および４４を有している。
【００２７】
バッファ部４２はフォーマット変換部３３からの信号を受け取る。シリアル変換部４１はバッファ部４２から受け取った信号をシリアル信号に変換して、電気／光変換部３１に出力する。パラレル変換部４３は電気／光変換部３１からの信号Ｂをパラレル信号に変換し、それをＣＤＲ部４５及びバッファ部４４に出力する。
【００２８】
バッファ部４４はパラレル変換部４２の信号を受け取り、信号Ｋとしてフォーマット変換部３３へ送る。ＣＤＲ部４５は、パラレル変換部４３から受けたパラレル信号からクロックを抽出して再生クロックを生成するＣＤＲ（Clock  and  Data  Recovery）機能を持ち、その生成した再生クロックを信号Ｃとしてクロック回路３５に出力する。
【００２９】
図４は、図２に示したクロック回路３５のより詳細な構成を示すブロック図である。クロック回路３５は、ＰＬＬ（Phase  Locked  Loop）５１、発振器５２、およびスイッチ５３を有している。ＰＬＬ５１はインタフェース部３２からの信号Ｃを基準とし、制御部３６の信号Ｅで指示された周波数に発振器５２の発振周波数を設定する。発振器５２は出力信号をＰＬＬ５１へ戻すとともに、出力信号をスイッチ５３に出力する。ＰＬＬ５１は発振器５２からの信号を受けて動作を実行する。スイッチ５３は、信号ＦがＰＬＬのロック状態をのときに信号Ｄの出力をＯＮし、ＰＬＬ５１からの信号Ｆがアンロック状態のときに信号Ｄの出力をＯＦＦする。
【００３０】
なお、上記実施形態では、信号Ａを光信号としているが、信号Ａを電気信号としてもよい。その場合は、光ファイバ１１は同軸ケーブル等のような電気信号用のケーブルに置き換わり、電気／光変換部３１は省略される。
【００３１】
図５は、図２〜図４に示す張り出し無線装置２０の起動時の動作を示すフローチャートである。張り出し無線装置２０の電源が投入され、電気／光変換部３１に光信号Ａが入力されると、電気／光変換部３１はそれを電気信号Ｂに変換して出力する（ステップＳ１０１）。
【００３２】
インタフェース部３２は前記信号Ｂを入力すると、インタフェース部３２内のパラレル変換部４３は、前記信号Ｂに基づいて、データが含まれた電気信号とその電気信号を元としたクロック信号を生成する。ＣＤＲ部４３は、前記クロック信号に基づいて信号Ａの伝送速度に対応した再生クロックとして生成し、その再生クロックをクロック回路３５へ信号Ｃとして出力する（ステップＳ１０２）。
【００３３】
電源投入により制御部３６が動作するようになると、制御部３６はクロック回路３５内にあるＰＬＬ５１に対する設定値Ｓ１を示す信号Ｅを出力する（ステップＳ１０３）。クロック回路３５のＰＬＬ５１は、信号Ｅに基づく設定値Ｓ１により動作周波数を設定し、その設定した周波数の信号を発振器５２に出力する。発振器５２は、ＰＬＬ５１からの信号を受けて、その発振周波数を前記設定値Ｓ１で決められた周波数に設定する。
（ステップＳ１０４）。ここで設定値Ｓ１は、信号Ａの周波数を前提としてあらかじめ決定された設定値である。
【００３４】
決められた周波数に設定されたＰＬＬ５１は、発振器５２の発振周波数がロックされているか否かの判断を行い（ステップＳ１０５）、その結果を信号Ｆとして制御部３６へ出力する。
【００３５】
ここで「周波数がロックされている」とは、ＰＬＬ５１がインタフェース部３２からの信号Ｃの周波数と発振器５２の発振周波数とを比較し、一致していればＰＬＬ５１がロック状態であると判断することを意味する。以後、周波数がロックされている状態をロック状態といい、そうでない状態をアンロック状態という。ロック状態であれば、処理がステップＳ１０６に進み、アンロック状態であれば処理がステップＳ１０９に進む。
【００３６】
ステップＳ１０５でロック状態と判断されて処理がステップＳ１０６に進んだ場合、ロック状態である旨の信号Ｆを受けた制御部３６は、設定値Ｓ１に対応したフォーマット変換部３３のソフトウェアが格納されたメモリ３８ａを使用するために、スイッチ３７を制御してメモリ３８ａを選択する経路へと切り替える（ステップＳ１０６）。メモリ３８ａは格納しているソフトウェアを読み出し、そのソフトウェアをスイッチ３７に出力する。フォーマット変換部３３は、スイッチ３７を介して、メモリ３８ａが読み出したソフトウェアをダウンロードし、フォーマット変換部３３は受け取ったソフトウェアによって起動する（ステップＳ１０７）。
【００３７】
起動が完了すれば、フォーマット変換部３３はインタフェース部３２から受け取る信号のフォーマットを認識でき、ベースバンド処理部３４へ信号を受け渡すことが可能となる（ステップＳ１０８）。これにより、張り出し無線装置２０が正常に動作することが可能となる。
【００３８】
ステップＳ１０５でアンロック状態と判断されて処理がステップＳ１０９に進んだ場合、アンロック状態である旨の信号Ｆを受けた場合、制御部３６は、インタフェース部３２から出力される信号Ｃの周波数が設定値Ｓ１とは異なると判断し、制御部３６は異なる周波数を想定した設定値Ｓ２の信号Ｅをクロック回路３５に出力する（ステップＳ１０９）。クロック回路３５のＰＬＬ５１は、制御部３６からの信号Ｅを受けて、その設定値Ｓ２に基づいて動作周波数を設定する。発振器５２は、ＰＬＬ５１からの信号Ｅを受けて、その発振周波数を規定値Ｓ２に基づく発振周波数に設定する（ステップＳ１１０）。
【００３９】
発振器５２がその発振周波数を規定値Ｓ２に基づいた周波数に設定したとき、ＰＬＬ５１は前記発振器５２からの規定値Ｓ２に基づく発振周波数の信号を受け取ると、ＰＬＬ５１は周波数をロックしたことを示すロック状態であるという旨の信号を信号Ｆとして制御部３６へ出力する（ステップＳ１１１）。この信号Ｆを受け取った制御部３６は、設定値Ｓ２に対応したフォーマット変換部３３のソフトウェアが格納されたメモリ３８ｂを使用するために、スイッチ３７を制御してメモリ３８ｂを選択する経路へと切り替える（ステップＳ１１２）。
【００４０】
メモリ３８ｂは、格納しているソフトウェアをスイッチ３７に出力する。フォーマット変換部３３は、クロック回路３５からの信号Ｄをトリガーとして、スイッチ３７を介して、メモリ３８ｂが読み出したソフトウェアをダウンロードし、そのソフトウェアに基づいて起動する（ステップＳ１１３）。起動が完了すれば、フォーマット変換部３３はインタフェース部３２から受け取る信号のフォーマットを認識でき、ベースバンド処理部３４へ信号を受け渡すことが可能となる（ステップＳ１１４）。
【００４１】
ここで上述の動作の具体的な一例として、ＣＰＲＩで規格化された伝送速度の中から１２２８．８Ｍｂｐｓと２４５７．６Ｍｂｐｓという２通りの伝送速度が適用された場合の例を示す。図５における設定値Ｓ１とメモリ３８ａ内のソフトウェアは１２２８．８Ｍｂｐｓの伝送速度に対応し、設定値Ｓ２とメモリ３８ｂ内のソフトウェアは２４５７．６Ｍｂｐｓの伝送速度に対応している。
【００４２】
ＣＰＲＩとして１２２８．８Ｍｂｐｓの伝送速度を使用し、インタフェース部３２から出力される再生クロック（信号Ｃ）の周波数は１２２．８８ＭＨｚである。制御部３６から出力される設定値Ｓ１は、信号Ｃを基準として１２２．８８ＭＨｚの信号Ｄを出力させる設定値となっており、クロック回路３５はロック状態となる。
【００４３】
従って、制御部３６はメモリ３８ａのソフトウェアを使用するためスイッチ３７の経路切り替えを行い、フォーマット変換部３３は、メモリ３８ａのソフトウェアをダウンロードすることになる。メモリ３８ａ内のソフトウェアは１２２８．８Ｍｂｐｓの伝送速度に対応したソフトウェアであることから、フォーマット変換部３３に入力された信号の信号処理が実行され、ベースバンド処理部３４に出力されることになる。
【００４４】
また、２４５７．６Ｍｂｐｓの伝送速度を使用した場合、インタフェース部３２から出力される信号Ｃの周波数は２４５．７６ＭＨｚとなる。制御部３６から最初に出力される設定値Ｓ１は、１２２．８８ＭＨｚの信号Ｃを基準とした設定値であるため、信号Ｃの周波数が異なりクロック回路３５は指定された周波数にロックできず、アンロック状態として信号Ｆを出力する。
【００４５】
ここで、制御部３６は、２４５７．６Ｍｂｐｓの伝送速度に対応した設定値Ｓ２を信号Ｅとして出力する。この場合、２４５．７６ＭＨｚの信号Ｃを基準とした設定値となっており、クロック回路３５はロック状態となり信号Ｆを出力する。そこで、制御部３６はメモリ３８ｂのソフトウェアを使用するためスイッチ３７の経路切り替えを行い、フォーマット変換部３３は、メモリ３８ｂのソフトウェアをダウンロードすることになる。
【００４６】
メモリ３８ｂ内のソフトウェアは２４５７．６Ｍｂｐｓの伝送速度に対応したソフトウェアであることから、フォーマット変換部３３は、入力した信号の信号処理を実行し、その信号処理の結果をベースバンド処理部３４に出力する。
【００４７】
図６は、図２〜図４に示す張り出し無線装置２０が２４５７．６Ｍｂｐｓの伝送速度に対応して動作しているときに、１２２８．８ＭｂｐｓのＣＰＲＩに切り替えられた場合の動作を示すフローチャートである。上述の図５の説明にあわせて、メモリ３８ｂは、２４５７．６Ｍｂｐｓの伝送速度に対応したソフトウェアを格納し、メモリ３８ａは、１２２８．８Ｍｂｐｓの伝送速度に対応したソフトウェアを格納しているものとする。制御部３６は、２４５７．６Ｍｂｐｓの伝送速度に対応して規定値Ｓ１の信号Ｅを出力し、１２２８．６Ｍｂｐｓの伝送速度に対応して規定値Ｓ２の信号Ｅを出力するものとする。
【００４８】
２４５７．６Ｍｂｐｓの伝送速度に対応して動作している変復調装置１０および張り出し無線装置２０において、変復調装置の交換等で１２２８．８ＭｂｐｓのＣＰＲＩ仕様に変更されると（ステップＳ２０１）、これによりインタフェース部３２が生成する再生クロックである信号Ｃの周波数が２４５．７６ＭＨｚから１２２．８８ＭＨｚに変わる（ステップＳ２０２）。
【００４９】
信号Ｃの周波数変更に伴いクロック回路３５はアンロック状態となり、信号Ｆを出力する（ステップＳ２０３）。信号Ｆを受けた制御部３６は、設定値Ｓ１を信号Ｅとして出力する（ステップＳ２０４）。クロック回路３５は１２２．８８ＭＨｚの信号Ｃに対応した設定値Ｓ１によりロック状態となり、信号Ｆとして制御部３６へ出力する（ステップＳ２０５）。信号Ｆを受けた制御部３６はスイッチ３７を制御してメモリ３８ａの経路へと切り替える（ステップＳ２０６）。
【００５０】
フォーマット変換部３３は、メモリ３８ａ内のソフトウェアをダウンロードすると、フォーマット変換部３３は、１２２８．８Ｍｂｐｓに対応したソフトウェアで再起動する（ステップＳ２０７）。これにより、フォーマット変換部３３は、信号処理を再開し（ステップＳ２０８）、張り出し無線装置２０は１２２８．８ＭｂｐｓのＣＰＲＩに対応した装置へと切り替わることができる。
【００５１】
以上で説明した本発明の第１実施形態では、インタフェース部３２から出力されるクロック信号Ｃの周波数によりクロック回路のロック状態、アンロック状態を制御部３６で判断する。これによって張り出し無線装置２０は、インタフェース部３２から出力されるクロック信号の周波数にあわせたクロック回路の設定を行うことができる。さらに、制御部３６が光信号のフォーマットを判別して、該フォーマットに対応したソフトウェアを用いて張り出し無線装置２０を起動することも可能となる。
【００５２】
以上で示した例では、２つのメモリ３８ａおよび３８ｂによって２種類の伝送速度に対応したが、これを３種類以上の伝送速度に対応するように拡張することも容易にできる。また、伝送速度ごとに通信フォーマットおよびプロトコルを異なるものとすることもできる。
【００５３】
［第２の実施形態］
図７は、本発明の第２の実施形態に係る移動通信用無線基地局装置の張り出し無線装置３２０の構成を示すブロック図である。移動通信用無線基地局装置全体の構成は、張り出し無線装置２０が張り出し無線装置３２０に置き換わる以外は、図１に示した本発明の第１の実施形態に係る移動通信用無線基地局装置１全体の構成と同一である。また、張り出し無線装置３２０も、図２に示した本発明の第１の実施形態に係る張り出し無線装置２０と同一の構成要素を多く含んでいるので、同一の要素には同一の参照番号を付して説明を省略する。
【００５４】
張り出し無線装置３２０の中の送受信制御部３２１は、第１の実施形態に係る送受信制御部２１に、さらに同期検出部３３９を付加したものである。その他の構成は、第１の実施形態と同様である。クロック回路３５は、ロック状態になると、信号Ｄをフォーマット変換部３３と同期検出部３３９に同時に出力する。メモリ３８ａは、フォーマット変換部３３の初期起動用のソフトウェアを格納している。メモリ３８ｂは、初期状態では何も格納していないが、同期検出部３３９が動作した際に同期検出部３３９から送られてくるソフトウェアを格納する。
【００５５】
同期検出部３３９は、クロック回路３５からの信号Ｄを検出すると、その信号Ｄとインタフェース部３２からの信号Ｋとの同期をとる。同期検出部３３９での同期が確立すると、張り出し無線装置３２０と変復調装置１０の間で同期が確立することとなる。そこで、変復調装置１０はフォーマット変換部３３用のソフトウェアを出力し、同期検出部３３９は、信号Ｋにより変復調装置１０からのソフトウェアを受け取る。同期検出部３３９は、受け取ったソフトウェアを信号Ｍとしてメモリ３８ｂに送り、メモリ３８ｂは、同期検出部３３９からのソフトウェアを格納する。
【００５６】
図８は、図７に示す張り出し無線装置３２０の起動時の動作を示すフローチャートである。張り出し無線装置３２０の電源が投入され、電気／光変換部３１に伝送速度が未知の光信号Ａが入力されると、電気／光変換部３１はそれを電気信号Ｂに変換して出力する（ステップＳ４０１）。
【００５７】
その信号Ｂがインタフェース部３２に入力されると、インタフェース部３２内のパラレル変換部４２は、信号Ｂに基づいて、データが含まれた電気信号とその電気信号を元としたクロック信号とを生成する。前記クロック信号がＣＤＲ部４３に入力されると、ＣＤＲ部４３は、前記クロック信号に基づいて、信号Ａの伝送速度に対応した再生クロックを生成し、その再生クロックを未知の周波数の信号Ｃとしてクロック回路３５へ出力する（ステップＳ４０２）。この段階では、ＣＤＲ部４３からクロック回路３５へ出力する信号Ｃの周波数は未知である。ここで、０または正の整数であるｎをｎ＝０と初期設定する。
【００５８】
電源投入により制御部３６が動作すると、制御部３６は、初期値として設定値Ｓ（ｎ）を示す信号Ｅをクロック回路３５へ出力する（ステップＳ４０３）。従って、クロック回路３５、特にＰＬＬ５１及び発振器５２は、未知の周波数の信号Ｃと、制御部３６からの規定値Ｓ（ｎ）とに基づいて動作を開始する（ステップＳ４０４）。
【００５９】
クロック回路３５は、動作を開始すると、そのＰＬＬ５１の状態を確認し、ロック状態を示す信号Ｆ、或いはアンロック状態を示す信号Ｆを制御部３６に出力する（ステップＳ４０５）。制御部３６は、クロック回路３５からアンロック状態を示す信号Ｆを受け取ったとき、制御部３６は、規定値Ｓ（ｎ）を新たな規定値Ｓ（ｎ＋１）に変更し、この規定値Ｓ（ｎ）を示す信号Ｅをクロック回路３５に出力する（ステップＳ４０６）。ここで、規定値Ｓ（ｎ＋１）は、基準とする規定値Ｓ（ｎ）に対して制御部３６が変更した新たな規定値を示すものであり、規定値Ｓ（ｎ＋１）は、規定値Ｓ（ｎ）に対応したクロック回路３５のＰＬＬ５１内のカウンタ設定を１つ動かすことを意味する。クロック回路３５は、制御部３６から新たな規定値Ｓ（ｎ＋１）を受け取ると、クロック回路３５のＰＬＬ５１は、未知の周波数の信号Ｃと制御部３６からの規定値Ｓ（ｎ＋１）とに基づいて動作する。そして、クロック回路３５は、ＰＬＬ５１の状態を確認する。
制御部３６は、クロック回路３５内のＰＬＬ５１の状態がアンロック状態からロック状態に切り替わるまで、新たな規定値Ｓ（ｎ＋１）を出力し続け、クロック回路３５のＰＬＬ５１は、未知の周波数の信号Ｃと制御部３６からの規定値Ｓ（ｎ＋１）とに基づいてロック状態に移行するまで動作を継続する（ステップＳ４０３〜ステップＳ４０６）。
【００６０】
クロック回路３５が、ＰＬＬ５１の状態がロック状態に移行すると、その状態を示す信号Ｆを制御部３６に出力する（ステップＳ４０５のＹＥＳ）。
【００６１】
クロック回路３５が、ＰＬＬ５１のロック状態を示す信号Ｆを制御部３６に出力した時点において、制御部３６はスイッチ３７を制御してメモリ３８ａを選択する経路へと切り替える（ステップＳ４０７）。
フォーマット変換部３３は、クロック回路３５からの信号Ｄを受け取って、メモリ３８ａ内のソフトウェアを初期起動用のソフトウェアとしてダウンロードし、そのソフトウェアで起動する（ステップＳ４０８）。また、クロック回路３５は、ＰＬＬ５１がロック状態に移行した時点で信号Ｄを同期検出部３３９に出力する（ステップＳ４０９）。
【００６２】
同期検出部３３９は、クロック回路３５から受け取った信号Ｄとインタフェース部３２から受け取った信号Ｋとの同期をとる（ステップＳ４１０）。同期検出部３３９が前記信号Ｄと信号Ｋとの同期が確立したことを検出すると、変復調装置１０と張り出し無線装置２０の同期が確立する。前記同期が確立した際に、変復調装置１０はフォーマット変換部３３用のソフトウェアを張り出し無線装置２０に向けて出力する。同期検出部３３９は、信号Ｋに基づいて変復調装置１０からのソフトウェアを受信し（ステップＳ４１１）、そのソフトウェアを信号Ｍとしてメモリ３８ｂに出力する。メモリ３８ｂは、同期検出部３３９からのソフトウェアを格納する（ステップＳ４１２）。
【００６３】
メモリ３８ｂに前記変復調装置１０からのソフトウェアが正常に格納されると、制御部３６は、スイッチ３７を制御してメモリ３８ｂへ経路切り替えを行う（ステップＳ４１３）。フォーマット変換部３３は、メモリ３８ｂに格納された未知の信号Ａに対応するソフトウェアをダウンロードし、メモリ３８ａから取得した初期起動用のソフトウェアに代えて、メモリ３８ｂから取得した変復調装置１０からのソフトウェアで起動する（ステップＳ４１４）。これにより、フォーマット変換部３３は信号処理を開始し、ベースバンド処理部３４以後の処理に信号を送ることが可能となる（ステップＳ４１５）。
【００６４】
以上で説明した本発明の第２の実施形態では、クロック回路３５の設定値を変えることで未知の信号の周波数を探索して、クロック回路３５がロック状態となりフォーマット変換部３３が光信号と同期するようになった時点で未知の信号に対応したフォーマット変換部３３用のソフトウェアをダウンロードして使用することができる。これによって、新たに仕様化された新しい伝送速度および光信号のフォーマットに対しても、対応した動作を行うことができる。
【００６５】
［第３の実施形態］
図９は、本発明の第３の実施形態に係る移動通信用無線基地局装置の張り出し無線装置５２０の構成を示すブロック図である。移動通信用無線基地局装置全体の構成は、張り出し無線装置２０が張り出し無線装置５２０に置き換わり、かつ張り出し無線装置５２０と変復調装置１０との間が２本の光ファイバ５１１ａおよび５１１ｂで接続されている点を除けば、図１に示した本発明の第１の実施形態に係る移動通信用無線基地局装置１全体の構成と同一である。
【００６６】
すなわち、図９に示す本実施形態３は、変復調装置１０と張り出し無線装置５２０との間に信号を伝送する信号伝送系５１１ａ，５１１ｂを２以上配線し、各信号伝送系５１１ａ，５１１ｂに、電気／光変換部５３１ａ，５３１ｂ、インタフェース部５３１ａ，５３１ｂ、フォーマット変換部５３３ａ，５３３ｂをそれぞれ配置し、これらの信号伝送系５１１ａ，５１１ｂに対して、ベースバンド処理部５３４及びクロック回路５３５並びに制御部５３６を共通化し、２以上の信号伝送系５１１ａ，５１１ｂと共通化したクロック回路５３５との間にスイッチ５３７を配置したことを特徴とするものである。
【００６７】
以下の説明では、信号伝送系５１１ａ，５１１ｂとして、光信号を伝送するための光ファイバ５１１ａおよび５１１ｂを用い、その信号伝送系を２系統とし、光ファイバ５１１ａ、５１１ｂに伝送される光信号の伝送速度が予め異なるものに設定している例を図９に基づいて説明する。なお、信号伝送系は、光信号を伝送する光ファイバに代えて、電気信号を伝送するケーブルを用いても良く、また、信号伝送系５１１ａ，５１１ｂは２系統に限られるものではない。
【００６８】
具体的に説明する。図９に示す張り出し無線装置５２０の送受信制御部５２１は、
各光ファイバ５１１ａ，５１１ｂに対応させて、電気／光変換部５３１ａ，５３１ｂ、インタフェース部５３１ａ，５３１ｂ、フォーマット変換部５３３ａ，５３３ｂをそれぞれ配置し、これらの信号伝送系５１１ａ，５１１ｂに対して、ベースバンド処理部５３４及びクロック回路５３５並びに制御部５３６を共通化し、２以上の信号伝送系５１１ａ，５１１ｂと共通化したクロック回路５３５との間にスイッチ５３７を配置している。
【００６９】
電気／光変換部５３１ａおよび５３１ｂはそれぞれ、光ファイバ５１１ａおよび５１１ｂから伝送される光信号である信号Ａ１およびＡ２を、電気信号である信号Ｂ１およびＢ２に変換する。
【００７０】
インタフェース部５３２ａおよび５３２ｂはそれぞれ、電気／光変換部５３１ａおよび５３１ｂで変換された変換されたシリアルの電気信号Ｂ１およびＢ２を入力し、それらをパラレルの電気信号Ｋ１およびＫ２に変換し、さらに再生クロックである信号Ｃ１およびＣ２を生成する。
【００７１】
フォーマット変換部５３３ａおよび５３３ｂは、クロック回路５３５で生成した信号Ｄをクロックとし、インタフェース部５３２ａおよび５３２ｂから出力されたパラレル信号Ｋ１およびＫ２のフォーマットに対応して、信号の同期や後述のベースバンド処理部５３４へ出力するデータ部分の抜き取りを行い、各々信号Ｌ１およびＬ２として出力する。
【００７２】
ベースバンド処理部５３４はフォーマット変換部５３３ａおよび５３３ｂで生成された信号Ｌ１およびＬ２のベースバンド処理を行い、そのシステムに応じて、信号Ｌ１およびＬ２の合成および分配を行う。スイッチ５３７は制御部５３６の指示（信号Ｎ）により、信号Ｃ１およびＣ２の経路選択を行う。制御部５３６は信号Ｃ１およびＣ２のどちらを使用するかを判断し、スイッチ５３７を制御する。
【００７３】
ここでＣＰＲＩの仕様における一例を説明する。信号Ａ１として１２２８．８Ｍｂｐｓの伝送速度の光信号、信号Ａ２として２４５７．６Ｍｂｐｓの伝送速度の光信号がそれぞれ入力されるものとする。この場合、インタフェース部５３２ａから出力される信号Ｃ１は１２２．８８ＭＨｚの周波数をもつ信号であり、インタフェース部５３２ｂから出力される信号Ｃ２は２４５．７６ＭＨｚの周波数をもつ信号である。この２つの信号がスイッチ５３７に入力する。
【００７４】
スイッチ５３７はインタフェース部５３２ａ，５３２ｂからの２つの信号Ｃ１およびＣ２を入力とするが、電源投入時の初期状態において、初期値として設定されている信号Ｃ１を選択する。したがって、スイッチ３７は電源投入時の初期値であるインタフェース部５３２ａからの信号Ｃ１をクロック回路５３５に出力する。インタフェース部５３２ａからの信号Ｃ１を受け取った時点において、制御部５３６は、インタフェース部５３２ａを基準とするための１２２８．８Ｍｂｐｓを示す信号Ｅを規定値としてクロック回路５３５に出力する。クロック回路５３５のＰＬＬ５１は、インタフェース部５３２ａからの信号Ｃ１と制御部５３６からの信号Ｅとに基づいて動作する。クロック回路５３５は、前記ＰＬＬがロック状態であったとすると、クロック回路５３５が、１２２８．８Ｍｂｐｓを示す信号Ｄを２つのフォーマット変換部５３３ａ，５３３ｂにそれぞれ出力する。
【００７５】
一方のフォーマット変換部５３３ａは、クロック回路５３５からの１２２８．８Ｍｂｐｓを示す信号Ｄに対応して機能する。他方のフォーマット変換部５３３ｂは、クロック回路からの１２２８．８Ｍｂｐｓを示す信号Ｄを起動用信号として起動し、２４５７．６Ｍｂｐｓの信号Ａ２に対応して機能する。
【００７６】
２４５７．６Ｍｂｐｓで動作しているインタフェース部５３３ｂを基準として張り出し無線装置を動作させたい場合は、変復調装置１０からの遠隔操作や手動操作などで制御部５３６を動作させる。制御部５３６は、前記動作指令を受け取ると、その動作指令を示す信号Ｎをスイッチ５３７に出力するとともに、クロック回路５３５のＰＬＬ５１がロック状態になるような信号Ｅをクロック回路５３５に出力する。この信号Ｅは、２４５７．８Ｍｂｐｓを示す信号である。スイッチ５３７は、制御部５３６から信号Ｎを受け取ると、接点をインタフェース部５３２ｂへ切り替えてインタフェース部５３２ｂからの信号Ｃ２をクロック回路５３５に出力する。クロック回路５３５は、インタフェース部５３２ｂからの信号Ｃ２と制御部５３６からの２４５７．８Ｍｂｐｓを示す信号Ｅとに基づいて動作する。クロック回路５３５のＰＬＬ５１がロック状態である場合、クロック回路５３５は、２４５７．８Ｍｂｐｓを示す信号Ｄを２つのフォーマット変換部５３３ａ，５３３ｂにそれぞれ出力する。
【００７７】
一方のフォーマット変換部５３３ｂは、クロック回路５３５からの２４５７．８Ｍｂｐｓを示す信号Ｄに対応して機能する。他方のフォーマット変換部５３３ａは、クロック回路からの２４５７．８Ｍｂｐｓを示す信号Ｄを起動用信号として起動し、１２２８．８Ｍｂｐｓの信号Ａ１に対応して機能する。ベースバンド処理部５３４は、２つのフォーマット変換部５３３ａ，５３３ｂから出力される信号Ｌ１，Ｌ２を入力として、これらの信号にベースバンド処理を行う。
【００７８】
これにより、フォーマットの異なる光信号が入力されても、１つのクロック回路５３５で動作させることが可能となる。
【００７９】
以上の説明では、２つの信号伝送系５１１ａ，５１１ｂで伝送される信号Ａ１，Ａ２２の伝送速度が異なる場合を前提として説明したが、本実施形態３は、これに限られるものではない。本実施形態３において、２つの信号伝送系５１１ａ，５１１ｂを伝送される信号が同一であって、しかもその伝送速度が等しい場合にも適用することができるものである。この例では、同一伝送速度で伝送する信号伝送系を２系統備えることとなるため、冗長構成として構築することが可能となる。
【００８０】
以下の説明では、２系統の信号伝送系である光ファイバ５１１ａ，５１１ｂに同一伝送速度で信号が伝送され、スイッチ５３７は、電源投入時の初期状態において、その初期値としてインタフェース部５３２ａからの信号Ｃ１を選択して、これをクロック回路５３５に出力する場合を想定している。
【００８１】
信号Ａ１を伝送している光ファイバ５１１ａが切断されると、信号Ｃ１は停止する。クロック回路５３５のＰＬＬ５１はアンロック状態となり、クロック回路５３５は、ＰＬＬのアンロック状態を示す信号Ｆを制御部５３６に出力する。アンロック状態を認識した制御部５３６は、スイッチ５３７を制御してインタフェース部５３２ｂからの信号Ｃ２が選択されるよう経路切り替えを行う。
【００８２】
この場合、光ファイバ５１１ｂは正常に動作しているので、インタフェース部５３２ｂから信号Ａ２に基づいた信号Ｃ２がスイッチ５３７に出力されている。したがって、クロック回路５３５は、スイッチ５３７の切り替えによって、インタフェース部５３２ｂからの信号Ｃ２を入力とする。そのため、クロック回路５３５のＰＬＬ５１は、インタフェース部５３２ｂからの信号Ｃ２と、制御部５３６からの信号Ｅとに基づいてロック状態となり、クロック回路５３５は、前記ＰＬＬのロック状態を示す信号Ｄをフォーマット変換部５３３ｂに出力する。フォーマット変換部５３３ｂは、信号Ｄに基づいて動作する。ベースバンド処理部５３４は、故障した信号伝送系のフォーマット変換部５３３ａからの信号Ｌ１に代えて、正常な信号伝送系のフォーマット変換部５３３ｂからの信号Ｌ２を入力としてベースバンド処理を行う。
【００８３】
このように、２つの信号伝送系である光ファイバ５１１ａ、５１１ｂのどちらかが切断されても、正常な信号伝送系から生成される信号を基準として張り出し無線装置を動作させることができる。これによって、信号Ａ１およびＡ２において冗長性を持たせることが可能となる。
【００８４】
以上で示した例では、変復調装置１０と張り出し無線装置５２０の間が２系統の光ファイバ５１１ａおよび５１１ｂで接続されていたが、これを３系統以上に対応するように拡張することも容易にできる。
【００８５】
また、以上で説明した本発明の第１〜３の実施形態に係る張り出し無線装置２０、３２０、５２０の動作は、該装置をコンピュータで制御されるものとして、そこで実行されるプログラムとして実現することもできる。
【００８６】
これまで本発明について図面に示した特定の実施形態をもって説明してきたが、本発明は図面に示した実施形態に限定されるものではなく、本発明の効果を奏する限り、これまで知られたいかなる構成であっても採用することができることは言うまでもないことである。
【産業上の利用可能性】
【００８７】
本発明は、光または電気信号によって変復調装置と接続された張り出し無線装置において適用可能である。
【符号の説明】
【００８８】
１  移動通信用無線基地局装置
１０  変復調装置
１１、５１１ａ、５１１ｂ  光ファイバ
２０、３２０、５２０  張り出し無線装置
２１、３２１、５２１  送受信制御部
２２  受信機
２３  送信機
２４  フィルタ
２５  アンテナ
３１、５３１ａ、５３１ｂ  電気／光変換部
３２、５３２ａ、５３２ｂ  インタフェース部
３３、５３３ａ、５３３ｂ  フォーマット変換部
３４、５３４  ベースバンド処理部
３５、５３５  クロック回路
３６、５３６  制御部
３７、５３７  スイッチ
３８ａ、３８ｂ  メモリ
４１  シリアル変換部
４２  パラレル変換部
４３  ＣＤＲ部
４４、４５  バッファ部
５１  ＰＬＬ
５２  発振器
５３  スイッチ
３３９  同期検出部
【図１】
0005521362.tif 000002
【図２】
0005521362.tif 000003
【図３】
0005521362.tif 000004
【図４】
0005521362.tif 000005
【図５】
0005521362.tif 000006
【図６】
0005521362.tif 000007
【図７】
0005521362.tif 000008
【図８】
0005521362.tif 000009
【図９】
0005521362.tif 000010